【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）アクティビティ期間統計を報告する方法であって、
コアネットワークノードによって、１つまたは複数のアクティビティ期間中にＵＥが接続モードまたはアイドルモードにある時間に関する、前記ＵＥについての統計を決定することを備え、
前記コアネットワークノードによって、および前記ＵＥについての前記統計から、前記１つまたは複数のアクティビティ期間内に前記ＵＥが前記接続モードにある前記時間が閾値よりも小さいかどうかを決定することと、
前記コアネットワークノードによって、前記１つまたは複数のアクティビティ期間の対応する部分において前記ＵＥが前記接続モードにある前記時間が前記閾値よりも小さい場合、アクセスネットワークノードに前記ＵＥについての前記統計の少なくとも一部を提供することと、
ここにおいて、前記１つまたは複数のアクティビティ期間は、前記ＵＥが前記コアネットワークノードに接続されている時間の期間である、
によって特徴付けられる、方法。
【請求項２】
前記統計を決定することは、複数のアクティビティ期間にわたって前記ＵＥが接続モードまたはアイドルモードにある前記時間の確率分布のヒストグラムまたは平均を決定することを備え、前記１つまたは複数のアクティビティ期間は、前記複数のアクティビティ期間を備える、請求項１に記載の方法。
【請求項３】
前記ＵＥが前記接続モードにある前記時間が前記閾値よりも小さいかどうかを決定することは、前記時間の前記確率分布または前記平均が前記閾値よりも小さいかどうかを決定することを備える、請求項２に記載の方法。
【請求項４】
コアネットワーク構成から、前記閾値または前記閾値を計算するためのパラメータを取得することをさらに備える、請求項１に記載の方法。
【請求項５】
コアネットワークコンポーネントから、前記閾値または前記閾値を計算するためのパラメータを取得することをさらに備える、請求項１に記載の方法。
【請求項６】
前記コアネットワークコンポーネントは、動作および管理ノード、または機能を含む、請求項５に記載の方法。
【請求項７】
前記アクセスネットワークノードから、前記閾値または前記閾値を計算するためのパラメータを取得することをさらに備える、請求項１に記載の方法。
【請求項８】
前記閾値を計算するための前記パラメータは、前記アクセスネットワークノードから受信された非アクティビティタイマ持続時間を備え、乗数によって乗算された前記非アクティビティタイマ持続時間として前記閾値を計算することをさらに備える、請求項７に記載の方法。
【請求項９】
前記１つまたは複数のアクティビティ期間中に前記ＵＥがアイドルモードにある前記時間の割合として前記閾値を計算することをさらに備える、請求項１に記載の方法。
【請求項１０】
前記統計の少なくとも前記一部において指示された、アイドルモードにあるまたは接続モードにある前記時間のうちの少なくとも１つに少なくとも部分的に基づいて、前記ＵＥについての非アクティビティタイマ持続時間を決定することをさらに備える、請求項１に記載の方法。
【請求項１１】
ユーザ機器（ＵＥ）アクティビティ期間統計を報告するための装置であって、
コアネットワークノードによって、１つまたは複数のアクティビティ期間中にＵＥが接続モードまたはアイドルモードにある時間に関する、前記ＵＥについての統計を決定するための手段を備え、
前記コアネットワークノードによって、および前記ＵＥについての前記統計から、前記１つまたは複数のアクティビティ期間内に前記ＵＥが前記接続モードにある前記時間が閾値よりも小さいかどうかを決定するための手段と、
前記コアネットワークノードによって、前記１つまたは複数のアクティビティ期間の対応する部分において前記ＵＥが前記接続モードにある前記時間が前記閾値よりも小さい場合、アクセスネットワークノードに前記ＵＥについての前記統計の少なくとも一部を提供するための手段と、
ここにおいて、前記１つまたは複数のアクティビティ期間は、前記ＵＥが前記コアネットワークノードに接続されている時間の期間である、
によって特徴付けられる、装置。
【請求項１２】
前記ＵＥについての前記統計を決定するための前記手段は、複数のアクティビティ期間にわたって前記ＵＥが接続モードまたはアイドルモードにある前記時間の確率分布のヒストグラムまたは平均を決定し、前記１つまたは複数のアクティビティ期間は、前記複数のアクティビティ期間を備える、請求項１１に記載の装置。
【請求項１３】
前記１つまたは複数のアクティビティ期間内に前記ＵＥが前記接続モードにある前記時間が前記閾値よりも小さいかどうかを決定するための前記手段は、前記時間の前記確率分布または前記平均が前記閾値よりも小さいかどうかを決定する、請求項１２に記載の装置。
【請求項１４】
前記１つまたは複数のアクティビティ期間内に前記ＵＥが前記接続モードにある前記時間が前記閾値よりも小さいかどうかを決定するための前記手段は、コアネットワーク構成、コアネットワークコンポーネント、または前記アクセスネットワークノードから、前記閾値または前記閾値を計算するためのパラメータを取得する、請求項１１に記載の装置。
【請求項１５】
請求項１〜請求項１０のうちのいずれか一項の方法を実行するように実行可能な命令を有するコンピュータ読取可能な媒体を備える、ユーザ機器（ＵＥ）アクティビティ期間統計を報告するためのコンピュータプログラム製品。
【手続補正２】
【補正対象書類名】明細書
【補正対象項目名】００６１
【補正方法】変更
【補正の内容】
【００６１】
[0067]  先の説明は、当業者が、本明細書に説明された様々な態様を実現することができるように提供されている。これらの態様への様々な修正は、当業者にとって容易に明らかとなり、本明細書に定義された一般的な原理は、他の態様に適用され得る。従って、特許請求の範囲は、本明細書に示される態様に限定されることが意図されるものではなく、特許請求の範囲の文言と一致する最大範囲であると認められるべきであり、ここにおいて、単数のエレメントへの参照は、そのように明確に記載されていない限り、「１つおよび１つのみ」を意味するのではなく、むしろ「１つまたは複数」を意味することが意図される。そうでないことが明確に記載されていない限り、「いくつかの」という用語は１つまたは複数を指す。項目のリスト「のうちの少なくとも１つ」を指すフレーズは、単一の要素を含む、それらの項目の任意の組み合わせを指す。例として、「ａ、ｂ、またはｃのうちの少なくとも１つ」は、ａ；ｂ；ｃ；ａおよびｂ；ａおよびｃ；ｂおよびｃ；ならびにａ、ｂ、およびｃ、をカバーすることが意図されている。当業者に既知の、または後に知られることになる本開示全体を通して説明される様々な態様のエレメントとの全ての構造的あるいは機能的な同等物は、参照によって本明細書に明確に組み込まれ、特許請求の範囲によって包含されることが意図される。さらに、本明細書で開示されたものはどれも、そのような開示が特許請求の範囲において明示的に記載されているかどうかに関わらず公共に寄与されことが意図されるものではない。特許請求の範囲のどのエレメントも、そのエレメントが明確に「〜のための手段」という句を使用して記載されていない限り、または、方法の請求項の場合には、そのエレメントが「〜するためのステップ」という句を使用して記載されていない限り、米国特許法第１１２条第６パラグラフの規定のもとで解釈されるべきではない。
以下に本願の出願当初の特許請求の範囲に記載された発明を付記する。
[Ｃ１]  ユーザ機器（ＵＥ）アクティビティ期間統計を報告する方法であって、
１つまたは複数のアクティビティ期間中にＵＥが接続モードまたはアイドルモードにある時間に関する、前記ＵＥについての統計を決定することと、
前記１つまたは複数のアクティビティ期間内に前記ＵＥが前記接続モードにある前記時間が閾値よりも小さいかどうかを、前記ＵＥについての前記統計から決定することと、
前記１つまたは複数のアクティビティ期間の対応する部分において前記ＵＥが前記接続モードにある前記時間が前記閾値よりも小さい場合、アクセスネットワークノードに前記ＵＥについての前記統計の少なくとも一部を提供することと
を備える、方法。
[Ｃ２]  前記統計を決定することは、複数のアクティビティ期間にわたって前記ＵＥが接続モードまたはアイドルモードにある前記時間の確率分布のヒストグラムまたは平均を決定することを備え、前記１つまたは複数のアクティビティ期間は、前記複数のアクティビティ期間を備える、Ｃ１に記載の方法。
[Ｃ３]  前記ＵＥが前記接続モードにある前記時間が前記閾値よりも小さいかどうかを決定することは、前記時間の前記確率分布または前記平均が前記閾値よりも小さいかどうかを決定することを備える、Ｃ２に記載の方法。
[Ｃ４]  コアネットワーク構成から、前記閾値または前記閾値を計算するためのパラメータを取得することをさらに備える、Ｃ１に記載の方法。
[Ｃ５]  コアネットワークコンポーネントから、前記閾値または前記閾値を計算するためのパラメータを取得することをさらに備える、Ｃ１に記載の方法。
[Ｃ６]  前記コアネットワークコンポーネントは、動作および管理ノード、または機能を含む、Ｃ５に記載の方法。
[Ｃ７]  前記アクセスネットワークノードから、前記閾値または前記閾値を計算するためのパラメータを取得することをさらに備える、Ｃ１に記載の方法。
[Ｃ８]  前記閾値を計算するための前記パラメータは、前記アクセスネットワークノードから受信された非アクティビティタイマ持続時間を備え、乗数によって乗算された前記非アクティビティタイマ持続時間として前記閾値を計算することをさらに備える、Ｃ７に記載の方法。
[Ｃ９]  前記１つまたは複数のアクティビティ期間中に前記ＵＥがアイドルモードにある前記時間の割合として前記閾値を計算することをさらに備える、Ｃ１に記載の方法。
[Ｃ１０]  前記統計の少なくとも前記一部において指示された、アイドルモードにあるまたは接続モードにある前記時間のうちの少なくとも１つに少なくとも部分的に基づいて、前記ＵＥについての非アクティビティタイマ持続時間を決定することをさらに備える、Ｃ１に記載の方法。
[Ｃ１１]  ユーザ機器（ＵＥ）アクティビティ期間統計を報告するための装置であって、
１つまたは複数のアクティビティ期間中にＵＥが接続モードまたはアイドルモードにある時間に関する、前記ＵＥについての統計を決定するように構成された、統計収集コンポーネントと、
前記１つまたは複数のアクティビティ期間内に前記ＵＥが前記接続モードにある前記時間が閾値よりも小さいかどうかを、前記ＵＥについての前記統計から決定するように構成された、接続モード時間コンポーネントと、
前記１つまたは複数のアクティビティ期間の対応する部分において前記ＵＥが前記接続モードにある前記時間が前記閾値よりも小さい場合、アクセスネットワークノードに前記ＵＥについての前記統計の少なくとも一部を提供するように構成された、統計提供コンポーネントと
を備える、装置。
[Ｃ１２]  前記統計収集コンポーネントは、複数のアクティビティ期間にわたって前記ＵＥが接続モードまたはアイドルモードにある前記時間の確率分布のヒストグラムまたは平均を決定するように構成され、前記１つまたは複数のアクティビティ期間は、前記複数のアクティビティ期間を備える、Ｃ１１に記載の装置。
[Ｃ１３]  前記接続モード時間コンポーネントは、前記時間の前記確率分布または前記平均が前記閾値よりも小さいかどうかを決定することに少なくとも部分的に基づいて、前記ＵＥが前記接続モードにある前記時間が前記閾値よりも小さいかどうかを決定するように構成される、Ｃ１２に記載の装置。
[Ｃ１４]  前記接続モード時間コンポーネントは、コアネットワーク構成から、前記閾値または前記閾値を計算するためのパラメータを取得するようにさらに構成される、Ｃ１１に記載の装置。
[Ｃ１５]  前記接続モード時間コンポーネントは、コアネットワークコンポーネントから、前記閾値または前記閾値を計算するためのパラメータを取得するようにさらに構成される、Ｃ１１に記載の装置。
[Ｃ１６]  前記コアネットワークコンポーネントは、動作および管理ノード、または機能を含む、Ｃ１５に記載の装置。
[Ｃ１７]  前記接続モード時間コンポーネントは、前記アクセスネットワークノードから、前記閾値または前記閾値を計算するためのパラメータを取得するようにさらに構成される、Ｃ１１に記載の装置。
[Ｃ１８]  前記閾値を計算するための前記パラメータは、前記アクセスネットワークノードから受信された非アクティビティタイマ持続時間を備え、前記接続モード時間コンポーネントは、乗数によって乗算された前記非アクティビティタイマ持続時間として前記閾値を計算するようにさらに構成される、Ｃ１７に記載の装置。
[Ｃ１９]  前記接続モード時間コンポーネントは、前記１つまたは複数のアクティビティ期間中に前記ＵＥがアイドルモードにある前記時間の割合として前記閾値を計算するようにさらに構成される、Ｃ１１に記載の装置。
[Ｃ２０]  前記統計提供コンポーネントは、前記統計の少なくとも前記一部において指示された、アイドルモードにあるまたは接続モードにある前記時間のうちの少なくとも１つに少なくとも部分的に基づいて、前記ＵＥについての非アクティビティタイマ持続時間を決定するようにさらに構成される、Ｃ１１に記載の装置。
[Ｃ２１]  ユーザ機器（ＵＥ）アクティビティ期間統計を報告するための装置であって、
１つまたは複数のアクティビティ期間中にＵＥが接続モードまたはアイドルモードにある時間に関する、前記ＵＥについての統計を決定するための手段と、
前記１つまたは複数のアクティビティ期間内に前記ＵＥが前記接続モードにある前記時間が閾値よりも小さいかどうかを、前記ＵＥについての前記統計から決定するための手段と、
前記１つまたは複数のアクティビティ期間の対応する部分において前記ＵＥが前記接続モードにある前記時間が前記閾値よりも小さい場合、アクセスネットワークノードに前記ＵＥについての前記統計の少なくとも一部を提供するための手段と
を備える、装置。
[Ｃ２２]  前記ＵＥについての前記統計を決定するための前記手段は、複数のアクティビティ期間にわたって前記ＵＥが接続モードまたはアイドルモードにある前記時間の確率分布のヒストグラムまたは平均を決定し、前記１つまたは複数のアクティビティ期間は、前記複数のアクティビティ期間を備える、Ｃ２１に記載の装置。
[Ｃ２３]  前記１つまたは複数のアクティビティ期間内に前記ＵＥが前記接続モードにある前記時間が前記閾値よりも小さいかどうかを決定するための前記手段は、前記時間の前記確率分布または前記平均が前記閾値よりも小さいかどうかを決定する、Ｃ２２に記載の装置。
[Ｃ２４]  前記１つまたは複数のアクティビティ期間内に前記ＵＥが前記接続モードにある前記時間が前記閾値よりも小さいかどうかを決定するための前記手段は、コアネットワーク構成、コアネットワークコンポーネント、または前記アクセスネットワークノードから、前記閾値または前記閾値を計算するためのパラメータを取得する、Ｃ２１に記載の装置。
[Ｃ２５]  前記閾値を計算するための前記パラメータは、前記アクセスネットワークノードから受信された非アクティビティタイマ持続時間を備え、前記１つまたは複数のアクティビティ期間内に前記ＵＥが前記接続モードにある前記時間が閾値よりも小さいかどうかを決定するための前記手段は、乗数によって乗算された前記非アクティビティタイマ持続時間として前記閾値を計算する、Ｃ２４に記載の装置。
[Ｃ２６]  ユーザ機器（ＵＥ）アクティビティ期間統計を報告するためのコードを備えるコンピュータ読取可能な媒体であって、前記コードは、
１つまたは複数のアクティビティ期間中にＵＥが接続モードまたはアイドルモードにある時間に関する、前記ＵＥについての統計を決定するためのコードと、
前記１つまたは複数のアクティビティ期間内に前記ＵＥが前記接続モードにある前記時間が閾値よりも小さいかどうかを、前記ＵＥについての前記統計から決定するためのコードと、
前記１つまたは複数のアクティビティ期間の対応する部分において前記ＵＥが前記接続モードにある前記時間が前記閾値よりも小さい場合、アクセスネットワークノードに前記ＵＥについての前記統計の少なくとも一部を提供するためのコードと
を備える、コンピュータ読取可能な媒体。
[Ｃ２７]  前記ＵＥについての前記統計を決定するための前記コードは、複数のアクティビティ期間にわたって前記ＵＥが接続モードまたはアイドルモードにある前記時間の確率分布のヒストグラムまたは平均を決定し、前記１つまたは複数のアクティビティ期間は、前記複数のアクティビティ期間を備える、Ｃ２６に記載のコンピュータ読取可能な媒体。
[Ｃ２８]  前記１つまたは複数のアクティビティ期間内に前記ＵＥが前記接続モードにある前記時間が前記閾値よりも小さいかどうかを決定するための前記コードは、前記時間の前記確率分布または前記平均が前記閾値よりも小さいかどうかを決定する、Ｃ２７に記載のコンピュータ読取可能な媒体。
[Ｃ２９]  前記１つまたは複数のアクティビティ期間内に前記ＵＥが前記接続モードにある前記時間が前記閾値よりも小さいかどうかを決定するための前記コードは、コアネットワーク構成、コアネットワークコンポーネント、または前記アクセスネットワークノードから、前記閾値または前記閾値を計算するためのパラメータを取得する、Ｃ２６に記載のコンピュータ読取可能な媒体。
[Ｃ３０]  前記閾値を計算するための前記パラメータは、前記アクセスネットワークノードから受信された非アクティビティタイマ持続時間を備え、前記１つまたは複数のアクティビティ期間内に前記ＵＥが前記接続モードにある前記時間が閾値よりも小さいかどうかを決定するための前記コードは、乗数によって乗算された前記非アクティビティタイマ持続時間として前記閾値を計算する、Ｃ２９に記載のコンピュータ読取可能な媒体。